(57)【要約】【課題】本発明は、癌治療用放射線照射設備自体に患者の患部を冷却しうる手段を付設することにより、放射線治療の直前および直後における患部の冷却を迅速に且つ能率よく行えるようにした癌治療用放射線照射設備を提供することを課題とする。【解決手段】ベッド１上の患者Ｐ１の患部Ｂに放射線を照射できるように、ベッド１に近接して放射線照射装置４が装備されるとともに、患部Ｂにあてがうことの可能な患部冷却器５が設けられて、同冷却器５には、冷却材としてのアイススラリーが、冷却材供給装置６から冷却材供給管８ａおよび冷却材戻し管８ｂを介して流通されるように構成される。放射線治療後に、患部Ｂへ患部冷却器５をあてがわれた患者Ｐ１は、バルブ付き連結器９を外すことにより、そのまま放射線治療室から病室へ戻ることができる。【選択図】  図１
2004337217.tif 000002
【特許請求の範囲】
【請求項１】
ベッド上の患者の患部に放射線を照射すべく同ベッドに近接して配置された放射線照射装置を備えるとともに、上記ベッド上の患者の患部にあてがうことの可能な患部冷却器と、同患部冷却器に流動性の冷却材を供給して流通させるための冷却材供給装置とを備えたことを特徴とする、癌治療用放射線照射設備。
【請求項２】
上記患部冷却器が、上記冷却材供給装置に対し着脱可能に設けられていることを特徴とする、請求項１に記載の癌治療用放射線照射設備。
【請求項３】
上記放射線照射装置が、上記ベッド上の患者を蔽うトンネル状の遮蔽部材の内側に装着されるとともに、上記冷却材供給装置が上記遮蔽部材の外側に設けられて、同冷却材供給装置から上記患部冷却器へ到る冷却材供給管と、上記患部冷却器から上記冷却材供給装置へ冷却材を戻す冷却材戻し管とを備えたことを特徴とする、請求項１または２に記載の癌治療用放射線照射設備。
【請求項４】
上記冷却材供給装置が、上記冷却材としてアイススラリーを生成すべく、冷媒流通用熱交換器を内蔵した水タンクと、同水タンクの底部内に装着された撹拌器とを備えて構成されたことを特徴とする、請求項１〜３のいずれか１つに記載の癌治療用放射線照射設備。
【発明の詳細な説明】
【０００１】
【発明の属する技術分野】
本発明は、癌患者の治療に用いられる放射線照射設備に関する。
【０００２】
【従来の技術】
一般に、ベッド上の癌患者の患部に放射線を照射して治療を施す装置としては、種々の型式のものが開発されており、例えば特開２０００−１０７３０３公報や特開２０００−２３７３３５公報に示されたものがある。
ところで、本発明の発明者は、左上顎歯肉癌のため筑波大学付属病院に入院し放射線治療を受けた経験があり、その放射線治療の際の直前および直後に患部を冷やすことが、患者にとって苦痛を軽減し且つ治療効果を向上させるのに有効であることを発見し、且つ体験した。
しかしながら、従来の癌治療用放射線照射設備には患部冷却のための装置が全く無く、氷枕を使用せざるを得なかったが、氷の補給などに手間取るという不具合を生じていた。
【０００３】
【発明が解決しようとする課題】
そこで本発明は、癌治療用放射線照射設備自体に患者の患部を冷却しうる手段を付設することにより、放射線治療の直前および直後における患部の冷却を迅速に且つ能率よく行えるようにした癌治療用放射線照射設備を提供することを課題とする。
【０００４】
【課題を解決するための手段】
前述の課題を解決するため、本発明の癌治療用放射線照射設備は、ベッド上の患者の患部に放射線を照射すべく同ベッドに近接して配置された放射線照射装置を備えるとともに、上記ベッド上の患者の患部にあてがうことの可能な患部冷却器と、同患部冷却器に流動性の冷却材を供給して流通させるための冷却材供給装置とを備えたことを特徴としている。
【０００５】
また、本発明の癌治療用放射線照射設備は、上記患部冷却器が、上記冷却材供給装置に対し着脱可能に設けられていることを特徴としている。
【０００６】
さらに、本発明の癌治療用放射線照射設備は、上記放射線照射装置が、上記ベッド上の患者を蔽うトンネル状の遮蔽部材の内側に装着されるとともに、上記冷却材供給装置が上記遮蔽部材の外側に設けられて、同冷却材供給装置から上記患部冷却器へ到る冷却材供給管と、上記患部冷却器から上記冷却材供給装置へ冷却材を戻す冷却材戻し管とを備えたことを特徴としている。
【０００７】
また、本発明の癌治療用放射線照射設備は、上記冷却材供給装置が、上記冷却材としてアイススラリーを生成すべく、冷媒流通用熱交換器を内蔵した水タンクと、同水タンクの底部内に装着された撹拌器とを備えて構成されていることを特徴としている。
【０００８】
上述の本発明の癌治療用放射線照射設備では、放射線治療室において放射線照射装置による患部への放射線照射の直前および直後に、同患部にあてがわれる患部冷却器へ冷却材供給装置から流動性の冷却材を流通させて、能率よく患部の冷却を行うことが可能になり、これにより患者の放射線照射に伴う火傷に類似した苦痛を緩和するとともに、放射線照射後の容態の改善も期待されるものである。
【０００９】
そして、上記患部冷却器が上記冷却材供給装置に対し着脱可能に設けられると、放射線照射による治療後に同患部冷却器を患部にあてがったまま、放射線治療室から病室へ戻れる利点が得られる。
【００１０】
また、上記ベッド上の患者を蔽うトンネル状の遮蔽部材の内側に放射線照射装置が設けられて、上記患部冷却器へ冷却材を供給する冷却材供給装置が上記遮蔽部材の外側に設けられると、設備全体としての配置構成が向上し、上記冷却材供給装置から上記患部冷却器への流動性冷却材の循環供給も、上記の冷却材供給管および冷却材戻し管を用いて円滑に行うことが可能になる。
【００１１】
そして、上記冷却材供給装置が、冷媒流通用熱交換器を内蔵した水タンクの底部に撹拌器を備えて、冷却材としてのアイススラリーを生成するように構成されていると、同アイススラリーの循環流通を受ける患部冷却器により、適度の患部冷却が行われるようになる利点が得られる。
【００１２】
【発明の実施の形態】
以下、図面により本発明の一実施形態としての癌治療用放射線照射設備について説明すると、図１はその全体構成を示す斜視図、図２はその要部を縦断面で示す説明図である。
【００１３】
図１，２に示すように、ベッド１は凹型のベッド枠２の内部に嵌合して、矢印Ａで示すごとく前後に摺動可能に設けられており、ベッド枠２に支持されたトンネル状の遮蔽部材３によりベッド１上の患者Ｐ１が蔽われるようになっている。
【００１４】
そして、ベッド１上の患者Ｐ１の患部（本実施形態では右上顎歯肉癌の患部）Ｂに放射線を照射できるように、ベッド１に近接して放射線照射装置４が装備されている。すなわち、放射線照射装置４は、図２に示すように、トンネル状の遮蔽部材３の内側上部において前後方向に移動可能に装着されており、同装置４は、放射線源Ｒの位置を自在に操縦できるように、同放射線源Ｒを支持するロボット腕Ｒ１を備えている。ロボット腕Ｒ１は、鉛直軸線のまわりに旋回可能の基部４ａ，第１アーム４ｂ，横軸線まわりに回転可能の回転継手４ｃおよび伸縮可能の第２アーム４ｄにより構成される。
なお、本実施形態で用いられる放射線の種類としては、α線，β線およびγ線のほか、Ｘ線や中性子線も含まれるものとする。
【００１５】
また、患部Ｂに対する放射線照射の直前および直後に、同患部Ｂを冷却できるように、患部Ｂにあてがうことの可能な柔軟性の袋状の患部冷却器５が設けられており、同患部冷却器５には、遮蔽部材３の外側上部に設けられた冷却材供給装置６から、冷却材としてのアイススラリーが供給されて循環するように構成されている。
【００１６】
すなわち、冷却材供給装置６は、冷却材としてアイススラリーを生成できるように、冷媒流通用熱交換器６ａを内蔵した水タンク６ｂと、同水タンク６ｂの底部内に装着された撹拌器６ｃとを備えて構成され、熱交換器６ａを流通する冷媒は、断熱膨張により低温の冷媒を生成する冷媒生成器６ｄから送られるようになっている。
【００１７】
このようにして水タンク６ｂ内に生成されるアイススラリーは、ポンプ７，冷却材供給管８ａおよび冷却材戻し管８ｂならびにバルブ付き連結器９を介して、患部冷却器５内を通過するように循環する。
【００１８】
そして、患部Ｂへの放射線の照射による治療後には、バルブ付き連結器９により患部冷却器５を取り外して、患部Ｂに患部冷却器５を付けたまま、患者Ｐ１は放射線治療室から病室へ戻ることができるようになっている。
【００１９】
上述の本実施形態の癌治療用放射線照射設備では、放射線治療室において放射線照射装置４による患部Ｂへの放射線治療の直前および直後に、同患部Ｂにあてがわれる患部冷却器５へ冷却材供給装置６から流動性の冷却材を流通させて、能率よく患部Ｂの冷却を行うことが可能になり、これにより患者Ｐ１の放射線照射に伴う火傷に類似した苦痛を緩和するとともに、放射線治療後の容態の改善も期待されるものである。
【００２０】
そして、患部冷却器５が冷却材供給装置６に対しバルブ付き連結器９を介して着脱可能に設けられるので、放射線照射後に同患部冷却器５を患部Ｂにあてがったまま、放射線治療室から病室へ戻れる利点が得られる。
【００２１】
また、ベッド１上の患者Ｐ１を蔽うトンネル状の遮蔽部材３の内側に放射線照射装置４が設けられて、患部冷却器５へ冷却材を供給する冷却材供給装置６が遮蔽部材３の外側に設けられるので、設備全体としての配置構成が向上し、冷却材供給装置６から患部冷却器５への流動性冷却材の循環供給も、冷却材供給管８ａおよび冷却材戻し管８ｂを用いて円滑に行うことが可能になる。
【００２２】
そして、冷却材供給装置６が、冷媒流通用熱交換器６ａを内蔵した水タンク６ｂの底部に撹拌器６ｃを備えて、冷却材としてのアイススラリーを生成するように構成されているので、同アイススラリーの循環流通を受ける患部冷却器５により、適度の患部冷却が行われるようになる利点が得られる。
【００２３】
このようにして、本実施形態の癌治療用放射線照射設備によれば、放射線治療の直前および直後における患部Ｂの冷却を迅速に且つ能率よく行えるようになり、これにより患者の苦痛を大幅に低減できるようになるとともに、患者の早期回復に寄与しうる利点が得られる。
【００２４】
なお、本実施形態では放射線照射装置および冷却材供給装置を支持するものとしてトンネル状の遮蔽部材３が用いられているが、病院における放射線治療室全体が遮蔽材で取り囲むように構成されている場合は、本実施形態における遮蔽部材３の代わりに、単なる支持部材を設けるようにしてもよい。
【００２５】
【発明の効果】
以上詳述したように、本発明の癌治療用放射線照射設備によれば次のような効果が得られる。
（１）  放射線治療室において放射線照射装置による患部への放射線治療の直前および直後に、同患部にあてがわれる患部冷却器へ冷却材供給装置から流動性の冷却材を流通させて、能率よく患部の冷却を行うことが可能になり、これにより患者の放射線照射に伴う火傷に類似した苦痛を緩和するとともに、放射線治療後の容態の改善も期待されるものである。
（２）  上記患部冷却器が上記冷却材供給装置に対し着脱可能に設けられると、放射線照射後に同患部冷却器を患部にあてがったまま、放射線治療室から病室へ戻れる利点が得られる。
（３）  上記ベッド上の患者を蔽うトンネル状の遮蔽部材の内側に放射線照射装置が設けられて、上記患部冷却器へ冷却材を供給する冷却材供給装置が上記遮蔽部材の外側に設けられると、設備全体としての配置構成が向上し、上記冷却材供給装置から上記患部冷却器への流動性冷却材の循環供給も、冷却材供給管および冷却材戻し管を用いて円滑に行うことが可能になる。
（４）  上記冷却材供給装置が、冷媒流通用熱交換器を内蔵した水タンクの底部に撹拌器を備えて、冷却材としてのアイススラリーを生成するように構成されていると、同アイススラリーの循環流通を受ける患部冷却器により、適度の患部冷却が行われるようになる利点が得られる。
【図面の簡単な説明】
【図１】本発明の一実施形態としての癌治療用放射線照射設備を示す斜視図である。
【図２】図１の癌治療用放射線照射設備の要部を縦断面で示す説明図である。
【符号の説明】
１  ベッド
２  ベッド枠
３  遮蔽部材
４  放射線照射装置
４ａ  旋回可能の基部
４ｂ  第１アーム
４ｃ  回転継手
４ｄ  第２アーム
５  患部冷却器
６  冷却材供給装置
６ａ  冷媒流通用熱交換機
６ｂ  水タンク
６ｃ  撹拌器
６ｄ  冷媒生成器
７  ポンプ
８ａ  冷却材供給管
８ｂ  冷却材戻し管
９  バルブ付き連結器
Ｂ  患部
Ｐ１  患者
Ｒ  放射線源
Ｒ１  ロボット腕
【図１】
2004337217.tif 000003
【図２】
2004337217.tif 000004